(57)【要約】【課題】この発明はボード体を大型化することなく、その前面を照明できるベッド装置を提供することにある。【解決手段】ベッドフレームの長手方向の端部に立設されるボード体２を具備し、ボード体は、前面が開口した収容体６と、収容体の前面開口に設けられた透光部材１２と、透光部材の裏面側に設けられた光源３０と、透光部材と光源との間に設けられ光源から出力された照明光をぼかして透光部材に入射させる光制御部材１６とを具備する。【選択図】      図２
2017113518.tif 000002
【特許請求の範囲】
【請求項１】
ベッドフレームと、
このベッドフレームの長手方向の端部に立設されるボード体を具備し、
前記ボード体は、
前面が開口した収容体と、
この収容体の前面開口に設けられた透光部材と、
この透光部材の裏面側に設けられた光源と、
前記透光部材と前記光源との間に設けられ前記光源から出力された照明光をぼかして前記透光部材に入射させる光制御部材と
を具備したことを特徴とするベッド装置。
【請求項２】
前記光制御部材は発泡弾性材料によって形成されている特徴とする請求項１記載のベッド装置。
【請求項３】
前記光源と前記光制御部材との間には、前記光源から出力された照明光の拡散を規制する開口が形成された拡散規制部材が設けられることを特徴とする請求項１記載のベッド装置。
【請求項４】
前記透光部材は、印刷可能な合成樹脂材料によって形成されていて、その面には前記透光部材から出射する前記光源からの光と一体化する絵柄が印刷されていることを特徴とする請求項１又は請求項３記載のベッド装置。
【請求項５】
前記収容体は前面及び背面のうちの少なくとも前面が開口した枠状に形成されていて、
前記透光部材及び前記光制御部材は、周辺部を前記収容体の内周面に保持されて前記透光部材が前記収容体の前面開口に位置するよう、前記収容体内に設けられていることを特徴とする請求項１記載のベッド装置。
【請求項６】
前記透光部材の裏面には、
前記光制御部材を透過した前記光源からの照明光を透過させる透光性の第１の絵柄を有する第１の絵柄層と、
前記第１の絵柄層の裏面側に設けられ前記光源からの照明光を透過させる透光部、及び前記照明光が透過するのを遮断する遮光部によって第２の絵柄が形成された第２の絵柄層と
が設けられていることを特徴とする請求項１記載のベッド装置。
【請求項７】
前記第１の絵柄層と前記第２の絵柄層の間には、
前記光源が消灯されているときに前記第２の絵柄層の第２の絵柄が前記第１の絵柄層の第１の絵柄を透過して前記透光部材に透けるのを阻止するとともに、前記光源が点灯されたときに前記第２の絵柄層の透光部を透過した前記照明光が前記透光部材に入射するのを許容する透光度合に設定された減光層が設けられていることを特徴とする請求項６記載のベッド装置。
【請求項８】
ベッドフレームと、
このベッドフレームの長手方向の端部に立設されるボード体を具備し、
前記ボード体は、
前面が開口した収容体と、
この収容体の前面開口に設けられた透光部材と、
この透光部材の裏面側に設けられた光源を具備し、
前記透光部材の裏面には、
前記光制御部材を透過した前記光源からの照明光を透過させる透光性の第１の絵柄を有する第１の絵柄層と、
前記第１の絵柄層の裏面側に設けられ前記光源からの照明光を透過させる透光部、及び前記照明光が透過するのを遮断する遮光部によって第２の絵柄が形成された第２の絵柄層と
が設けられていることを特徴とするベッド装置。
【発明の詳細な説明】
【技術分野】
【０００１】
この発明はベッドフレームの長手方向の端部にボード体が設けられるベッド装置に関する。
【背景技術】
【０００２】
一般にベッド装置はベッドフレームを備えている。このベッドフレームは、長手方向の一端にヘッドボードとなるボード体が立設され、上面には床板が支持されている。そして、この床板上にはマットレスが載置される。
【０００３】
前記ボード体は、前記マットレス上に仰臥した利用者の頭部を保護するという、ベッド装置として要求される機能を有するばかりか、最近では装飾的効果やさらなる機能を持たせることで、ベッド装置の商品価値を高めることが要求されている。
【０００４】
その１つとして、前記ボード体に照明機能を付加するということが行われている。たとえば、前記ボード体を箱型状に形成し、その前面開口をアクリル樹脂などの透光性を有する装飾板によって閉塞し、背面は反射面を前記装飾板側に向けた反射板によって閉塞する。
【０００５】
前記ボード体の内部には光源を収容し、この光源からの照明光の一部を前記反射板で反射させて前記装飾板から出射させ、残りの照明光を直接、前記装飾板から出射させることで、前記ボード体の前記装飾板を照明するということが行われている。
【先行技術文献】
【特許文献】
【０００６】
【特許文献１】実開昭５３−１０１８９号公報
【発明の概要】
【発明が解決しようとする課題】
【０００７】
ところで、上述した構成のボード体によると、前記光源から出力される照明光は、前記装飾板に直接入射させたり、前記反射板で反射させて前記装飾板に入射させるようにしている。つまり、前記光源から出力される照明光はほとんど減光されることなく、前記装飾板に入射して出射する。
【０００８】
そのため、前記装飾板から出射される照明光は、ベッド装置が設置される寝室の照明用としては明るすぎ、睡眠の妨げになるといことがあった。
【０００９】
しかも、前記構成のボード体は、光源からの光の一部を前記反射板で反射させて前記透光板から出射させる構成上、前記照明光が前記反射板に入射する入射角度、及び前記反射板から出射して前記装飾板に入射する出射角度を確保しなければならない。
【００１０】
そのため、前記装飾板と前記反射板を所定の間隔で離間させなければならないから、そのことによって前記ボード体の厚さ寸法が大きくなり、前記ボード体が大型化するということがあった。
【００１１】
この発明は、ボード体の厚さ寸法を大きくすることなく、光源からの照明光をボード体の前面から適度な明るさにして出射させることができるようにしたベッド装置を提供することにある。
【課題を解決するための手段】
【００１２】
この発明は、ベッドフレームと、
このベッドフレームの長手方向の端部に立設されるボード体を具備し、
前記ボード体は、
前面が開口した収容体と、
この収容体の前面開口に設けられた透光部材と、
この透光部材の裏面側に設けられた光源と、
前記透光部材と前記光源との間に設けられ前記光源から出力された照明光をぼかして前記透光部材に入射させる光制御部材と
を具備したことを特徴とするベッド装置にある。
【発明の効果】
【００１３】
この発明によれば、光源からの照明光は、光制御部材を通ることで、減光されて透光部材に入射するから、前記照明光による前記透光部材の照明を程よい強さに制御することができる。しかも、光源からの照明光を反射させずに前記光制御部材に入射させるため、前記ボード体の厚さ寸法を大きくして、前記ボード体を大型化させるということをせずにする。
【図面の簡単な説明】
【００１４】
【図１】この発明の一実施の形態を示すベッド装置の側面図。
【図２】ベッド装置のボード体の一部を断面した正面図。
【図３】ボード体の一部断面した上面図。
【図４】ボード体の縦断面図。
【図５】図４に示すボード体の高さ方向中途部を省略した拡大縦断面図。
【図６】光源が取付けられる取付け板の正面図。
【図７】ベッド装置のボード体を示す斜視図。
【図８】この発明の第２の実施の形態を示すボード体の一部を断面した正面図。
【図９】透光部材の裏面に印刷された第１の絵柄層の図。
【図１０】透光部材の第１の絵柄層の裏面側に印刷される第２の絵柄層の図。
【図１１】第２の絵柄層の一部を拡大して示した図。
【図１２】透光部材の裏面に第１の絵柄層と第２の絵柄層が減光層を介して順次印刷された状態を拡大して示す断面図。
【図１３】光源が点灯されたベッド装置のボード体を示す斜視図。
【発明を実施するための形態】
【００１５】
以下、この発明の実施の形態を図面を参照しながら説明する。
【００１６】
図１乃至図７はこの発明の第１の実施の形態を示し、図１はたとえばダブルサイズのベッド装置Ｂを示す側面図である。このベッド装置Ｂは矩形状のベッドフレーム１を備えている。このベッドフレーム１は長手方向一端がボード体２によって支持され、他端が一対の脚体３（１つのみ図示）によって支持されている。前記ベッドフレーム１の上面には図示しない床板を介してマットレス４が載置される。
【００１７】
前記ボード体２は、図２乃至図５に示すように収容体６を備えている。この収容体６は、図２に示すように上辺部材８及びこの上辺部材８の両端に垂直に設けられた一対の側辺部材９、及び一対の前記側辺部材９の下端部間に架設された下辺部材１１によって前面及び背面が開口した扁平な枠状に形成されている。
【００１８】
なお、前記収容体６は扁平状に限定されず、ある程度の奥行寸法を有する箱型状であっても差し支えない。
【００１９】
前記収容体６の、前記上辺部材８、一対の側辺部材９及び下辺部材１１によって囲まれた枠状部分の開放した前面は、透光性を有するとともに、印刷可能な材料、たとえばアクリル樹脂などによって薄い板状或いはフィルム状に形成された透光部材１２によって閉塞されている。
【００２０】
前記透光部材１２の前面は、全体がたとえば木質調やブロックを積み重ねた壁面状などの所望するデザインの印刷Ｄ（図７に示す）が施されている。さらに、前記透光部材１２の前面には、前記印刷Ｄの一部として、後述するように前記収容体６の内部に配置された一対の光源３０と対応する部分に、前記透光部材１２を透過する前記光源３０からの照明光と一体化する絵柄、この実施の形態では前記光源３０によって照射された部分を覆う一対のセード３１が印刷されている。
【００２１】
前記透光部材１２に施された印刷Ｄのうち、前記セード３１を除く部分は、前記光源３０が点灯させられたとき、前記光源３０からの照明光を所定の透過量で透過する色合いに設定されている。
【００２２】
前記光源３０からの照明光によって照射された前記透光部材１２の部分と一体化する絵柄としては、前記セード３１に限定されず、他の絵柄、たとえば動物、風景、建物などのような絵柄であってもよい。
【００２３】
図３乃至図５に示すように、前記収容体６の前記枠状部分の開放した背面は、光を遮断する板材、たとえば黒色に着色或いは印刷された板状の合成樹脂板などによって形成された背面部材１４によって閉塞されている。  
なお、前記背面部材１４は前記収容体６の前記枠状部分と予め一体形成してもよい。
【００２４】
前記透光部材１２の内面（背面）には、周辺に比較的硬質の周辺部材１５が一体的に設けられた光制御部材１６が、前記周辺部材１５を前記収容体６の枠状部分の内周面に係合させて設けられている。つまり、前記周辺部材１５は前面を前記透光部材１２の背面に近接させて配置されている。
【００２５】
前記光制御部材１６は、前記光源３０から出射された照明光が前記透光部材１２に入射する光量が低減するよう前記照明光をぼかす材料、たとえば比重が0.016程度と小さく、厚さが約２０ｍｍ程度のウレタンフォームなどによって形成されている。前記透光部材１２を形成するウレタンフォームの比重を変えれば、その透光部材１２を透過する照明光の光量を制御することができる。
【００２６】
なお、前記透光部材１２がフィルム状の場合、この透光部材１２は前記光制御部材１６の前面に貼着などの手段によって予め一体的に設けるようにしてもよい。
【００２７】
前記光制御部材１６の背面には前記光源３０からの照明光が拡散して前記光制御部材１６に入射するのを規制する拡散規制部材１８が前面を前記光制御部材１６の背面に接近させて配置されている。
【００２８】
つまり、前記拡散規制部材１８は光を遮断する材料、たとえば透光性のない２枚の板材を所定間隔で重ねて形成されていて、一対の前記光源３０と対応する箇所には、これら光源３０から出力された照明光を透過する円形状の開口１９が形成されている。
【００２９】
それによって、一対の前記光源３０から出力された照明光は前記開口１９だけを透過して前記光制御部材１６に入射するようになっている。  
つまり、前記光制御部材１６には、前記光源３０から出力されて前記拡散規制部材１８の前記開口１９を通過した照明光だけが入射するようになっている。言い換えれば、前記拡散規制部材１８は前記光源３０から出力されて前記開口１９以外の部分に拡散した照明光が前記光制御部材１６に入射するのを規制している。
【００３０】
なお、前記上辺部材８、側辺部材９及び下辺部材１１がなす枠状部分の内周面には、図５に示すように嵌め込み溝２０が形成されている。そして、前記光制御部材１６と前記拡散規制部材１８は、周辺部を前記嵌め込み溝２０に係合させて前記収容体６内に保持されている。
【００３１】
前記光源３０は、前記拡散規制部材１８の背面側に取付けられた帯状の取付け板２１の上下方向の中途部に保持されている。一対の前記光源３０はたとえばＬＥＤであって、これらの光源３０は、それぞれ前記拡散規制部材１８の開口１９のほぼ中心部に位置するよう位置決めされている。
【００３２】
一対の前記光源３０は、図２に示すように前記収容体６の一対の前記側辺部材９の上端部に設けられた一対のスイッチ２２を介して図示しない電源に接続されていて、前記スイッチ２２の操作によってそれぞれの前記光源３０を点滅させることができるようになっている。
【００３３】
前記収容体６の前記一対の側辺部材９の前記下辺部材１１よりも下側の部分の前面側と背面側は、図４に示すようにそれぞれ化粧板２３によって覆われている。そして、前記収容体６は、前記一対の側辺部材９の前記下辺部材１１よりも下側の部分を、前記ベッドフレーム１の長手方向の一端面にねじ止め固定することで、立位状態で設けられる。
【００３４】
このように構成された前記ベッド装置Ｂの前記ボード体２によれば、一対或いは一方の光源３０を点灯させると、その光源３０からの照明光は前記拡散規制部材１８に形成された開口１９だけに入射し、それ以外の部分に拡散するのが制限される。
【００３５】
それによって、前記開口１９に入射した照明光は、前記拡散規制部材１８の前面側に設けられた前記光制御部材１６の前記開口１９に対向する部分だけに入射する。
【００３６】
前記光制御部材１６の背面の前記開口１９に対向する部分に入射した照明光は、この光制御部材１６によって減衰させられて前面に出射する。つまり、前記光源３０から出力された照明光は、前記光制御部材１６の背面に入射することで減光、つまりぼかされてその前面側に出射する。
【００３７】
それによって、前記光制御部材１６の前面側に配置された前記透光部材１２は、前記光制御部材１６の前記開口１９に対向する部分が、前記光制御部材１６を透過する光量に応じた明るさで照明されることになる。
【００３８】
前記照明光によって照明される前記透光部材１２の明るさは、前記光制御部材１６によって設定できる透過光量や前記透光部材１２に印刷Ｄされるデザインの絵柄の色合いなどによって、強すぎることのない程よい明るさに設定することができる。つまり、寝室の照明として適した明るさに設定することが可能となる。
【００３９】
前記光源３０から出力された照明光は、従来のように反射板などを用いて反射させることなく、板状の前記拡散規制板１８の開口１９によって拡散が規制された後、同じく板状の前記光制御部材１６を介して前記透光部材１２に入射する。
【００４０】
つまり、前記ボード体２は、前記収容体６の前面に前記透光部材１２を設け、この透光部材１２の背面側に板状の前記拡散規制部材１８と板状の前記光制御部材１６を順次重ねて配置し、この光制御部材１６に形成された前記開口１９に対向する位置に前記光源３０を配置した構成である。
【００４１】
そのため、前記光源３０から出射される照明光を反射させずに前記透光部材１２から出射させるため、前記ボード体２の厚さ寸法を厚くしてそのボード体２を大型化するということなく、前記ボード体２の前面に設けられた前記透光部材１２を照明することができる。
【００４２】
前記光源３０は円形状であって、前記光制御部材１６の前記開口１９の中心部に対応する位置に配置されている。そのため、前記開口１９に入射した前記光源３０からの照明光は、前記開口１９の中心部分を最も強く照射し、その中心部分から周辺部に行くにつれて照明度合が低下する。
【００４３】
この実施の形態では、前記透光部材１２は前記開口１９に対応する部分のうち、前記光源３０と対応する部分、及びその光源３０と対応する部分からは照明光が透過し、それ以外の部分からは、前記光源３０からの照明光がほとんど透過することがないよう、前記透光部材１２に施される印刷Ｄの色合いが設定されている。とくに、前記透光部材１２に印刷された前記セード３１の部分からは照明光はほとんど透過しない。
【００４４】
それによって、前記透光部材１２の前記光源３０からの照明光が透過する部分は、前記開口１９の中心部が最も強くなるから、その部分が図７に示すように前記セード３１によって覆われた電球Ｌのように光る外観を呈する。
【００４５】
つまり、前記セード３１の絵柄と、前記透光部材１２を透過する前記光源３０からの照明光が一体化するから、前記ボード体２は良好な外観を呈することになる。
【００４６】
なお、第１の実施の形態ではダブルサイズのベッド装置Ｂに用いられるボード体２を例に挙げて説明したため、ボード体２内に２つの光源３０を収容する構成としたが、ベッド装置Ｂがシングルサイズの場合、ボード体２内に１つの光源３０を収容し、拡散規制部材１８には前記光源３０と対応する位置に１つの開口１９を形成すればよい。
【００４７】
また、前記光制御部材１６を発泡弾性材によって形成したが、たとえば樹脂製の繊維を三次元的に絡めて立体的な構造とした板状部材を用いるようにしてもよい。その場合、前記板状部材を構成する繊維の密度を変えることで、光の透過量を設定することが可能である。つまり、前記光制御部材１６の構造は限定されるものではなく、要は入射した照明光を減衰して出射できるものであればよい。
【００４８】
また、前記拡散規制部材１８に円形状の開口１９を形成したが、その開口１９の形状は前記透光部材１２に施される印刷Ｄのデザインなどに応じて種々変更されることは勿論である。
【００４９】
さらに、前記拡散規制部材１８の構造や構成材料も限定されるものではなく、要は開口１９以外の部分に入射した照明光を透過しない構造であればよい。
【００５０】
つぎに、この発明の第２の実施の形態を図８乃至図１３を参照しながら説明する。なお、第１の実施の形態と同一部分には同一記号を付して説明を省略する。
【００５１】
図８はこの発明の第２の実施の形態のボード体２Ａ示す。このボード体２Ａの拡散規制部材１８には、第１の実施の形態の円形状の開口１９に代わり、幅方向ほぼ全長にわたる長穴形状の開口１９ａが形成されている。この開口１９ａと対向する部分には、多数のＬＥＤを直線状に結合して前記開口１９ａとほぼ同じ長さ寸法に形成された光源３０ａが配置されている。
【００５２】
前記光源３０ａは、両端を前記拡散規制部材１８の裏面に固定して設けられた複数、この実施の形態では３つの保持具３５によって保持されている。
【００５３】
前記透光部材１２の裏面には、図１２に示すように第１の絵柄層３６、減光層３７、及び第２の絵柄層３８の３つの層が順次、印刷されている。
【００５４】
前記第１の絵柄層３６は、図９に示すように前記透光部材１２の幅方向に沿って細長く形成された、たとえば木材などの第１の絵柄３６ａを有する。この第１の絵柄３６ａは前記光源３０ａを点灯させたときの照明光が透過する色合いで印刷されている。
【００５５】
前記第１の絵柄層３６の前記第１の絵柄３６ａ以外の部分は、前記光源３０ａからの照明光を透過させることのない色合い、たとえば白色や黒色などによって遮光部３６ｂに印刷されている。なお、前記遮光部３６ｂの色合いは白色や黒色に限定されず、他の色合いであってもよい。
【００５６】
なお、前記第１の絵柄３６ａは木材に限られず、他の絵柄、たとえば動物、風景、建物などのような絵柄であってもよく、要は前記拡散規制部材１８に形成された開口１９ａを覆う、細長い形状の絵柄であればよい。
【００５７】
前記第２の絵柄層３８は、図１０と図１１に示すように前記減光層３７の裏面に印刷された、多数の星形状の幾何学模様からなる第２の絵柄３８ａからなる。この第２の絵柄３８ａは、照明光を遮断する、たとえば黒色などの色合いの塗料で印刷された線状の部分である遮光部３８ｂと、この遮光部３８ｂを形成する幾何学模様の線状の部分によって囲まれた印刷が施されていない空間部分、つまり照明光を透過する透光部３８ｃとによって形成されている。
【００５８】
なお、前記第２の絵柄層３８は、図１に示すベッド装置Ｂのマットレス４の厚さによって隠れない部分にだけ形成されている。
【００５９】
なお、前記第２の絵柄層３８の第２の絵柄３８ａを多数の星形状の幾何学模様によって形成したが、他の模様であってもよく、要は遮光部３８ｂと透光部３８ｃを有する絵柄であればよい。
【００６０】
前記第１の絵柄層３６と前記第２の絵柄層３８との間に設けられる前記減光層３７は、前記光源３０ａが消灯されているときに、前記第２の絵柄層３８の前記第２の絵柄３８ａが前記第１の絵柄層３６の第１の絵柄３６ａを通じて前記透光部材１２の前面に透けて見えることのない遮光性を有する。
【００６１】
さらに、前記減光層３７は、前記光源３０ａを点灯させたとき、前記第２の絵柄層３８ａの第２の絵柄３８ａが前記第１の絵柄層３６の前記第１の絵柄３６ａを通じて前記透光部材１２の前面に写し出される透光性を有する色合いの塗料、たとえば白色塗料によって印刷されている。
【００６２】
その際、前記透光部材１２の前面で見ることのできる前記第２の絵柄層３８の第２の絵柄３８ａは、図１３に示すように前記光源３０ａの中心部に対応する部分が最も明るく証明され、前記光源３０ａから離れる周辺に行くにつれて暗くなる。
【００６３】
なお、前記光源３０ａの光量を調整できるようにすれば、前記透光部材１２の前面で見ることのできる前記第２の絵柄３８ａの明るさを変えることができる。
【００６４】
このように構成されたボード体２Ａによれば、光源３０ａを消灯しているとき、前記透光部材１２の前面には第１の絵柄層３６に設けられた第１の絵柄３６ａが映し出されている。
【００６５】
前記第１の絵柄３６ａは、前記光源３０ａを点灯させたときの照明光が透過する色合いで印刷されている。つまり、透光性を有する色合いの塗料で形成されている。そのため、消灯時であっても、前記第１の絵柄層３６の裏面側に設けられた前記第２の絵柄層３８の第２の絵柄３８ａが前記第１の絵柄３６ａを通じて前記透光部材１２の前面に透けて見える虞がある。
【００６６】
しかしながら、前記第１の絵柄層３６と前記第２の絵柄層３８の間には前記減光層３７が設けられている。前記減光層３７は、上述したように前記光源３０ａが消灯されているとき、前記第２の絵柄層３８の前記第２の絵柄３８ａが前記第１の絵柄層３６の第１の絵柄３６ａを通じて前記透光部材１２の前面に透けて見えることのない遮光性を有する。
【００６７】
そのため、前記減光層３７によって前記第２の絵柄層３８の第２の絵柄３８ａが前記第１の絵柄層３６を通じて前記透光部材１２の前面に透けるのが阻止されるから、消灯時には前記第１の絵柄３６ａだけを確実に見ることができる。
【００６８】
前記光源３０ａを点灯すると、この光源３０ａからの照明光は前記第２の絵柄層３８の第２の絵柄３８ａの遮光部３８ｂと透光部３８ｃを照射する。前記遮光部３８ｂを照明した前記照明光は遮断される。前記透光部３８ｃを照射した照明光は、その透光部３８ｃを透過した後、前記減光層３７及び前記第１の絵柄層３６の第１の絵柄３６ａを透過して前記透光部材１２の裏面を照射する。それによって、前記透光部材１２の前面には図１３に示すように前記第２の絵柄が照明表示されることになる。
【００６９】
しかも、その際、前記照明光は前記光制御部材１６によって減光される。そのため、前記透光部材１２の照明は程よい強さに制御されるから、寝室の照明用として明るすぎ、睡眠の妨げになるのを防止できる。
【００７０】
しかも、前記光源３０ａからの照明光を反射させずに前記光制御部材１６に入射させるため、前記ボード体２Ａの厚さ寸法を大きくして、前記ボード体２Ａを大型化させるということもない。
【００７１】
すなわち、この実施の形態のボード体２Ａによれば、前記透光部材１２の前面には、前記光源３０ａを消灯しているときと、点灯しているときとで、異なる絵柄を表示することができる。
【００７２】
それによって、前記光源３０ａの消灯時と点灯時とで前記ボード体２Ａを異なる外観とすることができるから、ベッド装置Ｂの利用形態に応じて前記ボード体２Ａの外観を変えることができる。
【００７３】
しかも、前記光源３０ａを消灯したり、点灯するという簡単な操作で前記透光部材１２に表示される絵柄を変えることができるから、その操作が容易であるばかりか、絵柄を変えるための構成も簡単である。
【００７４】
前記光源３０ａを点灯し、前記第２の絵柄３８ａを前記透光部材１２の前面に表示すれば、その明るさに応じて室内を照明することができる。そのため、夜間の室内照明用として、前記ベッド装置Ｂの側方にナイトテーブルを置き、このナイトテーブル上に照明器具を設置する問うことをせずにすむから、照明器具専用の設置場所を確保せずに済むという利点もある。
【００７５】
なお、第２の実施の形態では透光部材１２と拡散規制部材１８の間に、光制御部材１６を設けるようにしたが、透光部材１２に印刷される第１の絵柄層３６の第１の絵柄３６ａの色合いなどによる照明光の透過率を設定することで、前記光制御部材１６を設けなくとも、光源３０ａを点灯したときの寝室の明るさを程よい状態に制御することができる。
【００７６】
また、前記第１の絵柄層と第２の絵柄層との間に、前記第２の絵柄層３８が前記透光部材１２に透けて見えるのを阻止する減光層３７を設けるようにしたが、消灯時に前記第２の絵柄層３８が前記透光部材１２に透けないよう、前記第１の絵柄層の透光度合を変えることで、前記減光層３７に代えることができる。
【符号の説明】
【００７７】
２…ボード体、６…収容体、１２…透光部材、１６…光制御部材、１８…拡散規制部材、１９，１９ａ…開口、３０，３０ａ…光源、３１…セード（絵柄）、３６…第１の絵柄層、３６ａ…第１の絵柄、３７…減光層、３８…第２の絵柄層、３８ａ…第２の絵柄。
【図１】
2017113518.tif 000003
【図２】
2017113518.tif 000004
【図３】
2017113518.tif 000005
【図４】
2017113518.tif 000006
【図５】
2017113518.tif 000007
【図６】
2017113518.tif 000008
【図７】
2017113518.tif 000009
【図８】
2017113518.tif 000010
【図９】
2017113518.tif 000011
【図１０】
2017113518.tif 000012
【図１１】
2017113518.tif 000013
【図１２】
2017113518.tif 000014
【図１３】
2017113518.tif 000015